(57)【要約】      （修正有）【課題】広い範囲での照明が可能で、モバイル用の電源としても利用でき、どこにでも簡単に持ち運びができる照明及び電源装置の提供。【解決手段】太陽電池と脱着可能なＬＥＤの照明ランプをトランクの外側に配置し、トランク内部に蓄電池，テレビ，ラジオ，懐中電灯を収納し、該トランクを手提げホルダーやショルダーにより持ち運び可能とした。【選択図】図３
0003103994.tif 000002
【実用新案登録請求の範囲】
【請求項１】
ソーラー（太陽電池）とＬＥＤによる照明ランプ等をトランク側側の面に装着し、更に照明ランプは脱着が可能なようにし、トランクの内部に蓄電池及び制御機器を装着したことを特徴とする携帯型マルチソーラーＬＥＤ照明及び電源装置。
【請求項２】
請求項１において、トランクの内部には、上記の蓄電池のほかに携帯電話やパソコン等に接続可能な外部出力コンセントを装着し、更にテレビ・ラジオ・懐中電灯等を収納し、防災用やレジャー等のアウトドア用としての有効利用を可能にしたことを特徴とするソーラーＬＥＤ照明及び電源装置。
【請求項３】
請求項１および請求項２において、外側の太陽電池の面またはＬＥＤ照明ランプの面を傾斜可能にする補助材をもつことを特徴とする携帯型マルチソーラーＬＥＤ照明器及び電源装置。
【請求項４】
請求項１から請求項３において、トランクの高さを上げたり太陽電池の面またはＬＥＤ照明ランプの面を傾斜させたりすることができる脚立等の補助材を装備することを特徴とする携帯型マルチソーラーＬＥＤ照明及び電源装置。
【請求項５】
請求項１から請求項４において、上記トランクに手提げホルダーや両肩や前掛け方式のショルダーベルトまたはキャスター等を装着し、上記トランクを楽に持ち運びできることを特徴とする携帯型マルチソーラーＬＥＤ照明及び電源装置。
【考案の詳細な説明】
【技術分野】
【０００１】本考案は、昼間にソーラー（太陽電池）により発電した電力を蓄電池に貯蔵し、照明用や情報機器等の電源として利用できるようにした携帯型マルチソーラーＬＥＤ照明及び電源装置の装置に関する。
【背景技術】
【０００２】自然災害における移動用独立電源を持つ照明装置でソーラーと蓄電池の組合せはあるが移動が重量や大きさにより困難で、コンパクトで一体化したのは従来はなかった。
また、移動可能で軽量なものはソーラー式懐中電灯で、災害用の照明としては照度（光量）不足で、小規模な照明（狭い範囲の照明）としての利用に限られていた。
【考案の開示】
【考案が解決しようとする課題】
【０００３】従来は、発電機、蓄電池、照明灯を組み合わせて利用するものであった。この場合は、災害等の緊急時には多数の部品を持って移動することになるため、非常に不便であった。本考案は、この災害時に一つの装置内に必要なものを全部まとめることができ、移動便利で夜間の照明を充分できる独立電源タイプの装置を提供するものである。また、この装置は災害時のみならず、キャンプ等のレジャ−用、日常の独立電源及び照明にも使用できるものである。
【課題を解決するための手段】
【０００４】上記の目的を達成するため本考案では、太陽電池とＬＥＤの照明ランプをトランクの外側に配置し、しかも照明ランプ自体は脱着して使用できる装置とすることで、更に利用方法が拡大でき、蓄電池のほかにテレビ・ラジオ・懐中電灯をトランクの内部に収納し持ち運びが簡単にできる手提げホルダーやショルダー機能を持たせた携帯型にする。（請求項１）【０００５】前請求項１において、トランクの高さを上げる（例えば脚立）補助材をもちＬＥＤ照明ランプを固定型の装置にする。（請求項２）【０００６】前請求項１から請求項２において、トランク外側の太陽電池の面またはＬＥＤ照明ランプの面を傾斜可能にする補助材をもつ装置にする。（請求項３）【０００７】前請求項１から請求項３において、トランクの高さを上げる補助材と太陽電池の面またはＬＥＤ照明ランプの面を傾斜可能にする補助材とを兼用にする。（請求項４）【０００８】請求項１から請求項５において、トランクをどんな場所にでも持ち運びができるように手提げだけでなく、両肩や前掛け方式のショルダー機能を持たせ、更にキャスター機能を持たせることにより、子供やお年寄り等が簡単に移動や使用が可能となる携帯型とすることができる。（請求項５）
【考案の効果】
【０００９】この携帯型マルチソーラーＬＥＤ照明及び電源装置の考案により、自由に持運びが出来て電源のない場所での照明として利用できることとなる。しかも、従来の懐中電灯に比べてソーラーにより繰り返し充電が可能となり、電池の交換が不要でＬＥＤ照明ランプにより照度も向上し広い範囲での照明に利用できる。更に、屋外での携帯電話やパソコン等の電源としても利用できるようにしたものである。
特に、防災用やレジャー等のアウトドア用としての照明や情報収集等の機器として大きな効果が期待できるものである。
【考案を実施するための最良の形態】
【００１０】屋外の広い範囲で使用でき、しかも移動できる照明としては、ランプの照度とソーラーによる発電量及び蓄電池等の容量に大きさ、又は電源として発電機等の装置が必要であった。そこで、消費電力が少ないＬＥＤを照明として利用することで小型のソーラーと蓄電池で対応することが可能となった。更に、移動や持ち運びができやすい形状のトランク型に組み込む装置とすることとした。
【実施例】
【００１１】以下、本考案の実施例について図面１〜６により説明する。
１．図１（ａ）は、トランク外側の片面にソーラーパネル１を、他の片面にＬＥＤ照明ランプ２を装着したものである。図１（ｂ）は、トランク外側の一面にソーラーパネル１とＬＥＤ照明ランプ２を装着したものである。
２．図２は、その装置の配線図である。
３．図３は、側面の外部に残量メーター４を装着し蓄電池の容量が確認でき、天候等によりソーラーでの蓄電ができない場合の商用ＡＣ電源から入力できるコンセント５を装着した装置である。更に、どこにでも使用できるようにトランクの上部に手提げ７を横面にショルダーフック８によりショルダーベルトを使って肩掛けや前掛けで持運びできるようにした装置である。この構造にすることにより、人が首から前に掛けて両手が使えるようになり、しかも前方及び左右の照明の広がりで進む方向に照明が利用できる。
４．図４は、トランクの内部構造で蓄電池３や携帯電話・パソコン用の外部出力コンセント６及び電気変換コントローラー９を装備し、更にラジオ付カラー液晶テレビ１０やＬＥＤスポットライト１１及び伸縮や折りたたみできる脚立等を収納できるようにした多目的スペース１２を設けた装置である。
５．図５〜６は、本体を照明として使用する際に補助材として角度調整ストッパー１４ににより伸縮折たたみできるにした脚立１３である。ここでは、トランクの高さを上げる補助材とソーラーの面を傾斜させる補助材を兼用している。傾斜できるようにしたのは、太陽の光を有効に利用することにある。
６．図６は、移動する際に持運びが簡単にできるようにしたキャスター１５である。
【産業上の利用可能性】
【００１２】本考案は、トランク型にしたことによりどんな場所にでも持ち運びができ、夜間の照明として、又情報源としての機能（ラジオやテレビ及びモバイル用電源装置）を持たせたもので、災害時やレジャー等のアウトドア用品として活用できる携帯型マルチソーラーＬＥＤ照明及び電源装置として業務用の利用ができるものとなる。
【図面の簡単な説明】
【００１３】
【図１】  本考案の実施の形態によるトランクの片面に太陽電池を、もう一方の片面にＬＥＤ照明ランプを装着した断面図である。
【図２】  本考案の実施の形態による装置の配線図である。
【図３】  図１と図２に示した側面に蓄電池残量メーターと外部電源による入力コンセント及びショルダー用のフックを装着した断面図である。
【図４】  本考案の携帯型ソーラーＬＥＤ照明器の内部に蓄電池や外部出力コンセント及び収納スペースを装着した断面図である。
【図５】  本考案の携帯型ソーラーＬＥＤ照明器を使用する時の脚立の斜視図と断面図である。
【図６】  本考案の携帯型ソーラーＬＥＤ照明器を移動する時のキャスターの断面図である。
【符号の説明】
【００１４】  １  ．ソーラーパネル
２  ．ＬＥＤ照明ランプ
３  ．蓄電池
４  ．蓄電池残量メーター
５  ．外部入力用電源コンセント
６  ．外部出力用コンセント
７  ．手提げ用ホルダー
８  ．ショルダー用フック及びベルト
９  ．コントローラー・ダウントランス
１０．ラジオ付カラー液晶テレビ
１１．ＬＥＤ懐中電灯
１２．収納スペース
１３．折たたみ伸縮可能な脚立
１４．角度調整ストッパー
１５．キャスター
【図１】
0003103994.tif 000003
【図２】
0003103994.tif 000004
【図３】
0003103994.tif 000005
【図４】
0003103994.tif 000006
【図５】
0003103994.tif 000007
【図６】
0003103994.tif 000008